(57)【要約】【課題】衣類の襟をプレスせずに綺麗に成型することのできる衣類成型装置及び衣類成型方法を提供すること。【解決手段】本発明に係る衣類成型装置１は、衣類の襟の形状に対応する曲面１１を有する成型部１０と、前記成型部１０を加熱する加熱部と、前記成型部１０の前記曲面１１に沿った衣類の襟の両端を保持する保持部２０と、前記衣類の襟を前記保持部２０により保持されている状態で伸張させる伸張部３０と、前記衣類の襟を前記伸張部３０により伸張されている状態で揺動させる揺動部４０と、を備える。【選択図】図２
2014104162.tif 000002
【特許請求の範囲】
【請求項１】
衣類の襟の形状に対応する曲面を有する成型部と、前記成型部を加熱する加熱部と、前記成型部の前記曲面に沿った衣類の襟の両端を保持する保持部と、前記衣類の襟を前記保持部により保持されている状態で伸張させる伸張部と、前記衣類の襟が前記伸張部により伸張されている状態で前記衣類の襟及び前記成型部のいずれか一方又は両方を揺動させる揺動部と、を備えてなる衣類成型装置。
【請求項２】
前記成型部が、水蒸気を前記衣類の襟に噴き付ける噴出口を有する請求項１に記載の衣類成型装置。
【請求項３】
前記保持部が、前記衣類の襟の端部を個別に保持する二つの個別保持部を含み、
前記揺動部が、前記個別保持部各々を個別に移動させて前記衣類の襟を揺動させる請求項１又は２に記載の衣類成型装置。
【請求項４】
前記保持部で保持されている前記衣類の襟を前記伸張部により伸張させつつ前記衣類の襟及び前記成型部のいずれか一方又は両方を前記揺動部により予め設定された回数だけ揺動させる駆動制御手段を備えてなる請求項１〜３のいずれかに記載の衣類成型装置。
【請求項５】
前記衣類がワイシャツである請求項１〜４のいずれかに記載の衣類成型装置。
【請求項６】
衣類の襟の形状に対応する曲面を有する成型部と、前記成型部を加熱する加熱部と、前記成型部の前記曲面に沿った衣類の襟の両端を保持する保持部と、を備えた衣類成型装置を用いた衣類成型方法であって、
前記衣類の襟を前記保持部により保持されている状態で伸張させる伸張工程と、前記衣類の襟が前記伸張工程により伸張されている状態で前記衣類の襟及び前記成型部のいずれか一方又は両方を揺動させる揺動工程と、を含む衣類成型方法。
【発明の詳細な説明】
【技術分野】
【０００１】
本発明は、ワイシャツ等の衣類の襟を成型するために用いられる衣類成形装置及び衣類成型方法に関する。
【背景技術】
【０００２】
例えば特許文献１に示されているように、洗濯によって縮んだワイシャツの襟を加湿しながら伸張させた後、そのワイシャツの襟を上鏝及び下鏝でプレスして仕上げる技術が従来から知られている。
【先行技術文献】
【特許文献】
【０００３】
【特許文献１】特開２００３−３０５３００号公報
【発明の概要】
【発明が解決しようとする課題】
【０００４】
しかしながら、前記特許文献１に開示された構成では、ワイシャツの襟をプレスする上鏝及び下鏝が必須となるため装置の大型化やコスト高の問題がある。一方、上鏝を省略した構成により、下鏝のみでワイシャツの襟を加湿しながら伸張させることも考えられるが、その場合にはワイシャツの襟の内側にシワが残るおそれがある。
本発明の目的は、衣類の襟をプレスせずに綺麗に成型することのできる衣類成型装置及び衣類成型方法を提供することにある。
【課題を解決するための手段】
【０００５】
本発明に係る衣類成型装置は、衣類の襟の形状に対応する曲面を有する成型部と、前記成型部を加熱する加熱部と、前記成型部の前記曲面に沿った衣類の襟の両端を保持する保持部と、前記衣類の襟を前記保持部により保持されている状態で伸張させる伸張部と、前記衣類の襟が前記伸張部により伸張されている状態で前記衣類の襟及び前記成型部のいずれか一方又は両方を揺動させる揺動部と、を備える。より具体的に、前記衣類がワイシャツであることが考えられる。
即ち、前記衣類成型装置では、前記衣類の襟が前記伸張部で伸張されて前記曲面に密着した状態で前記揺動手段により前記曲面に対して相対的に摺り動かされ、前記衣類の襟の内側にアイロン掛けのような効果が与えられる。従って、本発明によれば、衣類の襟をプレスせずに綺麗に成型することができ、前記衣類成型装置の小型化及び低コスト化も実現される。
特に、前記成型部が、水蒸気を前記衣類の襟に噴き付ける噴出口を有することが望ましい。これにより、前記衣類の襟を加湿しながら成型することができる。
具体的な構成としては、前記保持部が、前記衣類の襟の端部を個別に保持する二つの個別保持部を含み、前記揺動部が、前記個別保持部各々を個別に移動させて前記衣類の襟を揺動させるものであることが考えられる。
さらに、前記衣類成型装置が、前記保持部で保持されている前記衣類の襟を前記伸張部により伸張させつつ前記衣類の襟及び前記成型部のいずれか一方又は両方を前記揺動部により予め設定された回数だけ揺動させる駆動制御手段を備えることが考えられる。これにより、前記伸張部による伸張及び前記揺動部による揺動を自動で行うことができ、ユーザーの手間が省略される。
ところで、本発明は、前記衣類成型装置を用いた衣類成型方法の発明として捉えてもよい。即ち、本発明は、衣類の襟の形状に対応する曲面を有する成型部と、前記成型部を加熱する加熱部と、前記成型部の前記曲面に沿った衣類の襟の両端を保持する保持部と、を備えた衣類成型装置を用いた衣類成型方法であって、前記衣類の襟を前記保持部により保持されている状態で伸張させる伸張工程と、前記衣類の襟が前記伸張工程により伸張されている状態で前記衣類の襟及び前記成型部のいずれか一方又は両方を揺動させる揺動工程と、を含む衣類成型方法として捉えることができる。
【発明の効果】
【０００６】
本発明によれば、衣類の襟をプレスせずに綺麗に成型することができる。
【図面の簡単な説明】
【０００７】
【図１】衣類成型装置の概略構成を示す斜視図。
【図２】衣類成型装置の概略構成を示す平面図。
【図３】衣類成型装置の成型部の内部構成を示す模式図。
【図４】衣類成型装置を用いた衣類成型方法の手順の一例を説明するためのフローチャート。
【図５】衣類成型装置の使用状態を説明するための平面図。
【図６】衣類成型装置の使用状態を説明するための平面図。
【図７】衣類成型装置の使用状態を説明するための平面図。
【図８】衣類成型装置の使用状態を説明するための平面図。
【発明を実施するための形態】
【０００８】
以下添付図面を参照しながら、本発明の実施の形態について説明し、本発明の理解に供する。なお、以下の実施の形態は、本発明を具体化した一例であって、本発明の技術的範囲を限定する性格のものではない。
【０００９】
［衣類成型装置１の概略構成］
まず、図１〜図３を参照しつつ、本発明の実施の形態に係る衣類成型装置１の概略構成について説明する。なお、本実施の形態では説明の便宜上、前記衣類成型装置１における前後方向、左右方向、及び上下方向を図１に示す如く定義する。また、図面の煩雑化を防ぐため、ネジなどの結合部材、エアー配管、スチーム配管、及び電気配線などの図示は適宜省略する。
図１及び図２に示すように、前記衣類成型装置１は、成型部１０、保持部２０、伸張部３０、揺動部４０、支持部５０、支持部６０、制御部７０、及び衣類掛け部８０などを備えている。なお、図２では前記支持部６０、前記制御部７０、及び前記衣類掛け部８０の記載を省略している。前記支持部６０は、前記支持部５０を支持する支柱６１及び土台６２を備えている。また、前記衣類掛け部８０は、前記衣類成型装置１にセットする衣類を掛けるために用いられるものであり、ユーザーは前記衣類掛け部８０に衣類を掛けた状態でその衣類の襟を前記成型部１０に接触させる。
前記支持部５０は、前記成型部１０、前記保持部２０、前記伸張部３０、及び前記揺動部４０を支持する。具体的に、前記支持部５０の前端部には、左右両面からネジ５１Ａで前記支持部５０に固定された平面視Ｕ字状の固定部材５１が設けられている。そして、前記成型部１０は、ネジ５１Ｂで前記固定部材５１に固定されることにより前記支持部５０に支持されている。同じく、前記支持部５０の後端部には、左右両面からネジ５２Ａで前記支持部５０に固定された平面視Ｕ字状の固定部材５２が設けられている。なお、前記固定部材５２は、Ｕ字状における対向する二つの面が前記支持部５０を跨ぐ形状であり、Ｕ字状における底面が前記支持部５０の上面に当接した形状である。これらの構成により、前記衣類成型装置１において、前記成型部１０、前記支持部５０、前記固定部材５１、及び前記固定部材５２は非可動部となっている。
【００１０】
［成型部１０］
前記成型部１０は、アルミなどの熱伝導率の高い部材によって形成されており、前記衣類成型装置１で成型する衣類の襟の形状に対応する曲面１１及び前記曲面１１から前記衣類の襟に水蒸気を噴き付けるための複数の噴出口１２を有している。また、前記成型部１０の下方には、前記成型部１０の下面１０Ｂを覆うカバー部材１３が設けられている。なお、前記成型部１０の上面１０Ａにも前記上面１０Ａを覆うカバー部材（不図示）が設けられる。
本実施の形態に係る前記衣類成型装置１は、ワイシャツの襟を成型するために用いられるものであり、前記曲面１１は、前記衣類成型装置１で成型するワイシャツの襟の内側の湾曲形状と同一の形状を有する。なお、本発明は、ブラウス又はジャケットなどの襟を有する衣類の成型について適用することが可能であり、その場合には前記曲面１１が成型対象となる衣類の襟に対応する形状を有していればよい。もちろん、複数種類の衣服の襟に共通する形状の前記曲面１１を用いて複数種類の衣服の成型に対応可能な構成も考えられる。
【００１１】
ここで、図３を参照しつつ、前記成型部１０の内部構成について説明する。なお、図３は、前記成型部１０の内部構成を示す模式図であって、図３（Ａ）は前記成型部１０の下面図、図３（Ｂ）は図３（Ａ）におけるＸ−Ｘ矢視断面図、図３（Ｃ）は図３（Ａ）におけるＹ−Ｙ矢視断面図である。
図３に示すように、前記成型部１０には、複数の電熱ヒーター１３、スチームヒーター１４、温度センサー１５、及び水蒸気噴出部１６が設けられている。前記成型部１０の前記下面１０Ｂは、前記スチームヒーター１４及び前記水蒸気噴出部１６の接続口１６１と共に前記成型部１０に着脱可能であり、ネジなどの固定部材によって前記成型部１０に固定されている。
前記電熱ヒーター１３各々は、前記成型部１０に形成された挿入孔に嵌挿されており、電力供給を受けて前記成型部１０の前記曲面１１を加熱する。一方、前記スチームヒーター１４は、図外のボイラー設備から水蒸気を入力するボイラー配管が接続される接続口１４１、前記接続口１４１からの水蒸気の入力により前記成型部１０の前記曲面１１を加熱する蒸気貯留部１４２、及び前記蒸気貯留部１４２で凝縮されたドレン水を排水するドレン配管が接続される接続口１４３を有している。また、前記ボイラー配管には前記ボイラー設備から前記接続口１４１への水蒸気の入力を制御する電磁弁が設けられており、前記電磁弁の開閉は前記制御部７０によって制御される。なお、前記ドレン配管はスチームトラップに接続されており、前記スチームトラップは水蒸気を漏らさずドレン水のみを排出する。
このように、前記衣類成型装置１は、前記ワイシャツの襟を加熱する加熱部として前記電熱ヒーター１３及び前記スチームヒーター１４を共に備えているため、前記成型部１０の前記曲面１１の温度を一般的な電気アイロンで用いられる１６０℃〜２００℃程度まで加熱することが可能である。また、前記衣類成型装置１では、前記衣類成型装置１で成型する衣類の種類などに応じて前記電熱ヒーター１３及び前記スチームヒーター１４のいずれか一方又は両方を使用することにより加熱温度を変更することも可能である。もちろん、前記衣類成型装置１が前記電熱ヒーター１３及び前記スチームヒーター１４のいずれか一方のみを有するものであってもよい。また、前記衣類成型装置１が、他の従来周知の加熱手法により前記曲面１１を加熱する加熱部を備えた構成であってもよい。
【００１２】
前記温度センサー１５は、前記成型部１０の前記曲面１１の近傍に形成された挿入孔に嵌挿されており、前記成型部１０の温度を検出する。前記温度センサー１５で検出された温度は前記制御部７０が備える後述の温度表示部７８に表示される。また、前記衣類成型装置１では、前記制御部７０により前記温度センサー１５の検出温度に応じて前記電熱ヒーター１３及び前記電磁弁などを制御することによって前記成型部１０を予め設定された加熱温度に調節することも可能である。
前記水蒸気噴出部１６は、フレキシブル配管が接続される接続口１６１を有しており、前記フレキシブル配管は前記ボイラー配管から供給される水蒸気を分岐するセパレーターに接続されている。前記フレキシブル配管を介して前記接続口１６１から前記水蒸気噴出部１６に入力された水蒸気は、前記曲面１１に形成された前記噴出口１２各々から外部に噴出される。これにより、前記曲面１１にワイシャツの襟がセットされている場合、前記噴出口１２各々から噴出された水蒸気が前記ワイシャツの襟に噴出される。なお、前記フレキシブル配管には前記ボイラー設備から前記接続口１６１への水蒸気の入力を制御する電磁弁が設けられており、前記電磁弁の開閉は前記制御部７０によって制御される。
【００１３】
［保持部２０］
図１及び図２の説明に戻り、前記保持部２０は、前記衣類成型装置１の左右両側に設けられており、前記成型部１０の前記曲面１１に沿った衣類の襟の両端を個別に保持する個別保持部である。以下、前記衣類成型装置１の左側に設けられた前記保持部２０を左保持部２０Ｌ、右側に設けられた前記保持部２０を右保持部２０Ｒと称し、前記左保持部２０Ｌ及び前記右保持部２０Ｒを区別しない場合には単に保持部２０と総称する。
具体的に、前記保持部２０は、図１及び図２に示すように、エアシリンダ２１、リンク機構２２、回動支持部２３、保持板２４、保持板２５、スライド板２６、レール２７、及びレール支持板２８などを備えている。
前記エアシリンダ２１は前記回動支持部２３により回動軸２３Ａで回動可能に支持されており、前記回動支持部２３は前記スライド板２５に固定されている。前記エアシリンダ２１は、図外のエアーコンプレッサーから空気が供給される二つの空気流入口を備えており、一方の前記空気流入口に空気が供給された場合にピストンロッド２１Ａを外部に押し出し、他方の前記空気流入口に空気が供給された場合に前記ピストンロッド２１Ａを内部に収納させるいわゆる複動シリンダである。前記エアーコンプレッサーから前記エアシリンダ２１の前記空気流入口各々への空気の供給は、前記制御部７０によって制御される。なお、図２には、前記ピストンロッド２１Ａが前記エアシリンダ２１内に収納された状態が示されている。
前記保持板２４及び前記保持板２５は、ワイシャツの襟の端部を保持するものであり、滑り止め機能を有するゴムシート等である。前記リンク機構２２は、前記エアシリンダ２１の前記ピストンロッド２１Ａの移動に応じて前記保持板２４を開閉させることにより、前記保持板２４及び前記保持板２５によるワイシャツの襟の挟持及び開放を切り替える開閉機構である。
前記レール支持板２８各々はネジ５１Ｃで前記支持部５０に固定されたＬ字状の部材であって、前記レール支持板２８各々には前記レール２７が取り付けられている。前記レール２７各々は前後方向に長尺状であって上下方向に対向して配置されており、前記レール２７各々には前記スライド板２６が挿入されている。これにより、前記衣類成型装置１では、前記スライド板２６が前記レール２７に沿って前後方向にスライド自在であり、前記スライド板２６に固定された前記保持部２０全体が前後方向にスライド可能である。
【００１４】
［伸張部３０］
前記伸張部３０は、ワイシャツの襟が前記曲面１１に沿って引っ張られる方向に前記保持部２０各々を移動させることにより、そのワイシャツの襟を前記保持部２０により保持されている状態で伸張させることが可能である。具体的に、前記伸張部３０は、図１及び図２に示すように、エアシリンダ３１、移動板３２、揺動板３３、連結部材３４、ベアリング３５、及び連結部３６などを備えている。
前記エアシリンダ３１は、前記エアシリンダ２１と同様に前記エアーコンプレッサーからの空気の供給に応じてピストンロッド３１Ａを前後方向に移動させる複動シリンダである。前記エアシリンダ３１は、前記移動板３２に固定されている。また、前記ピストンロッド３１Ａは、前記移動板３２に形成された開口３２Ａに挿通されてその先端が前記固定部材５２に固定されている。これにより、前記移動板３２は、前記エアシリンダ３１の前記ピストンロッド３１Ａの移動に伴って前記エアシリンダ３１と共に前記固定部材５２を基準に前後方向に移動することになる。なお、前記エアーコンプレッサーから前記エアシリンダ３１への空気の供給も前記制御部７０によって制御される。図２では、前記ピストンロッド３１Ａが前記エアシリンダ３１から押し出された状態が示されている。
また、前記エアシリンダ３１の底面３１Ｂには前記連結部材３４が設けられており、前記連結部材３４は回動軸３４Ａを介して前記エアシリンダ３１及び前記揺動板３３を連結している。これにより、前記揺動板３３は、前記エアシリンダ３１の前記ピストンロッド３１Ａの移動に伴って前記エアシリンダ３１と共に前後方向に移動することになる。
前記連結部３６は、前記左保持部２０Ｌ及び前記右保持部２０Ｒ各々の前記スライド板２６に固定されており軸部材３６Ａを有している。一方、前記揺動板３３の左端部３３Ｌ及び右端部３３Ｒには左右方向が長径となる長穴３３Ａが形成されており、前記長穴３３Ａ内には前記連結部３６の前記軸部材３６Ａに嵌挿されたベアリングが配置されている。なお、前記ベアリングの外径は、前記長穴３３Ａの短径（前後方向の径）と同様である。これにより、前記軸部材３６Ａに嵌挿された前記ベアリングが前記長穴３３Ａ内を移動することが可能であり、前記揺動板３３は前記スライド板２６の前後方向の移動に伴って前記回動軸３４Ａを中心に揺動可能である。より具体的には、前記揺動板３３の前記左端部３３Ｌが前記回動軸３４Ａを中心に前方に揺動すると前記左保持部２０Ｌの前記スライド板２６が前方に移動すると共に、前記揺動板３３の前記右端部３３Ｒが前記回動軸３４Ａを中心に後方に揺動して前記右保持部２０Ｒの前記スライド板２６が後方に移動する。同じく、前記揺動板３３の前記左端部３３Ｌが前記回動軸３４Ａを中心に後方に揺動すると前記左保持部２０Ｌの前記スライド板２６が後方に移動すると共に、前記揺動板３３の前記右端部３３Ｒが前記回動軸３４Ａを中心に前方に揺動して前記右保持部２０Ｒの前記スライド板２６が前方に移動する。
前記ベアリング３５は、前記移動板３２と前記固定板５２とに接触した状態で前記固定部材５２に固定されており、前記移動板３２の移動に伴って回転することにより前記移動板３２を前記固定板５２に対して滑らかに移動させる。
なお、本実施の形態では、前記左保持部２０Ｌ及び前記右保持部２０Ｒを移動させることによりワイシャツの襟を伸張させる構成を例に挙げて説明する。一方、前記成型部１０を移動させることによりワイシャツの襟を伸張させる構成も考えられる。即ち、前記伸張部３０は、前記左保持部２０Ｌ及び前記右保持部２０Ｒと前記成型部１０とのいずれか一方又は両方を移動させることによりワイシャツの襟を伸張させることが可能な構成であればよい。例えば、前記成型部１０を前後方向に摺動可能に支持するスライド機構と前記スライド機構により前記成型部１０を摺動させるエアシリンダ、モーター又はソレノイドなどの駆動手段とを備える構成が考えられる。これにより、前記制御部７０は、前記駆動手段を制御して前記成型部１０を前方に押し出すことによって前記左保持部２０Ｌ及び前記右保持部２０Ｒで保持されたワイシャツの襟を伸張させることができる。
【００１５】
［揺動部４０］
前記揺動部４０は、前記衣類成型装置１の左側のみに設けられており、ワイシャツの襟を前記伸張部３０で伸張されている状態で前記曲面１１に沿って揺動させることが可能である。具体的に、前記揺動部４０は、図１及び図２に示すように、二つのエアシリンダ４１、４２、連結部４３、及びスペーサー４４などを備えている。
前記エアシリンダ４１、４２は、前記エアシリンダ２１と同様に前記エアーコンプレッサーからの空気の供給に応じてピストンロッド４１Ａ、４２Ａを前後方向に移動させる複動シリンダであって、底面で連結されている。前記ピストンロッド４１Ａの先端は前記連結部４３に固定されており、前記連結部４３は前記揺動板３３の前記左端部３３Ｌに回動軸４３Ａを介して回動可能に連結されている。一方、前記ピストンロッド４２Ａは、前記スペーサー４４を介して前記移動板３２に固定されている。これにより、前記エアシリンダ４１、４２各々の前記ピストンロッド４１Ａ、４２Ａの移動に伴って、前記揺動板３３の前記左端部３３Ｌが前記移動板３２を基準に前後方向に揺動する。なお、前記エアーコンプレッサーから前記エアシリンダ４１、４２への空気の供給も前記制御部７０によって制御される。図２では、前記ピストンロッド４１Ａが前記エアシリンダ４１から押し出され、前記ピストンロッド４２Ａが前記エアシリンダ４２内に収納された状態が示されている。なお、前記衣類成型装置１の他の例として、前記エアシリンダ４１、４２を省略し、ユーザーが手動で前記左保持部２０Ｌ、前記右保持部２０Ｒ、又は前記揺動板３３などを作動させることにより前記襟Ｗを揺動させることが可能な構成も他の実施形態として考えられる。
【００１６】
［制御部７０］
前記制御部７０は、図１に示すように、電源スイッチ７１、加熱スイッチ７２、フットスイッチ７３〜７７、及び温度表示部７８などを備えている。前記温度表示部７８は、前記温度センサー１５の検出温度を表示するメーター又は液晶パネルなどであり、ユーザーは前記温度表示部７８を参照することにより前記成型部１０の温度を把握することができる。
そして、前記制御部７０は、前記電源スイッチ７１、前記加熱スイッチ７２、前記フットスイッチ７３〜７７各々の操作に応じて前記衣類成型装置１の動作を制御する電気回路を有している。なお、前記制御部７０は電気回路に限らず、例えばＣＰＵ、ＲＡＭ、ＲＯＭ、ＥＥＰＲＯＭなどの制御機器を有するコンピューターであり、前記ＲＯＭに予め記憶された制御プログラムに従って前記ＣＰＵで処理を実行することにより前記衣類成型装置１を制御する構成も他の実施形態として考えられる。
前記制御部７０は、前記電源スイッチ７１がＯＮになると、前記衣類成型装置１を図１及び図２に示す初期状態に遷移させる。前記初期状態は、前記衣類成型装置１にワイシャツをセットする前の状態であり、前記エアシリンダ２１の前記ピストンロッド２１Ａが収納状態であって前記保持板２４が開かれている。また、前記エアシリンダ３１の前記ピストンロッド３１Ａが押し出された状態であって前記エアシリンダ３１及び前記移動板３２が前方に移動することにより前記保持部２０各々が前方に押し出されている。さらに、前記エアシリンダ４１の前記ピストンロッド４１Ａは押し出された状態であり、前記エアシリンダ４２の前記ピストンロッド４２Ａは収納状態であって、前記揺動板３３は左右方向に対して平行となっている。
また、前記制御部７０は、前記加熱スイッチ７２がＯＮになると、前記電熱ヒーター１３及び前記スチームヒーター１４により前記成型部１０を加熱し、前記加熱スイッチ７２がＯＦＦになると前記加熱を停止する。なお、前記制御部７０には、加熱温度を調整するための不図示の温度操作部なども設けられており、前記制御部７０は前記温度操作部のユーザー操作により設定された加熱温度まで前記成型部１０を前記電熱ヒーター１３及び前記スチームヒーター１４によって加熱する。
前記フットスイッチ７３〜７７各々は、前記衣類成型装置１を使用する際にユーザーによって操作される操作手段である。具体的に、前記制御部７０は、前記フットスイッチ７３が操作されると、前記左保持部２０Ｌの前記エアシリンダ２１を駆動させて前記ピストンロッド２１Ａを押し出させ、前記フットスイッチ７４が操作されると、前記左保持部２０Ｌの前記エアシリンダ２１を駆動させて前記ピストンロッド２１Ａに収納させる。同様に、前記制御部７０は、前記フットスイッチ７５が操作されると、前記右保持部２０Ｒの前記エアシリンダ２１を駆動させて前記ピストンロッド２１Ａを押し出させ、前記フットスイッチ７６が操作されると、前記右保持部２０Ｒの前記エアシリンダ２１を駆動させて前記ピストンロッド２１Ａを収納させる。なお、前記制御部７０による前記エアシリンダ２１各々の駆動は、前記エアーコンプレッサーから前記エアシリンダ２１各々の前記空気流入口への空気の供給によって行われる。そして、前記制御部７０は、前記フットスイッチ７７が操作されると、前記衣類成型装置１による後述の成型動作（図４のステップＳ４〜Ｓ７）を実行する。
なお、前記衣類成型装置１における操作手段として前記フットスイッチ７３〜７７を用いればユーザーの手を自由にすることができる。一方、前記フットスイッチ７３〜７７に代えて、例えば押釦又はタッチパネルなどの他の操作装置を備えることも他の実施形態として考えられる。
【００１７】
［衣類成型装置１を用いた衣類成型方法］
以下、図４のフローチャートに従って前記衣類成型装置１を用いた衣類成型方法の手順の一例について説明する。なお、前記衣類成型装置１を用いた衣類成型方法における各工程をステップＳ１、Ｓ２、・・・と称する。また、図５〜図８はワイシャツの襟Ｗを成型する場合の前記衣類成型装置１の使用状態を示す図であって、前記ワイシャツの本体及び前記衣類掛け部８０の図示は省略している。
【００１８】
（ステップＳ１）
まず、ステップＳ１において、ユーザーは、前記電源スイッチ７１及び前記加熱スイッチ７２を共にＯＮにする。これにより、前記制御部７０は、前記衣類成型装置１の駆動を開始させ、前記電熱ヒーター１３及び前記スチームヒーター１４による前記成型部１０の加熱を開始させる。そして、ユーザーは、前記成型部１０の温度が予め設定された加熱温度（１８０℃〜２００℃程度）に達したことを前記温度表示部７８の表示で確認すると、次のステップＳ２を実行する。なお、前記制御部７０が、前記成型部１０の温度が前記加熱温度に達した場合にＬＥＤを点灯させること又はブザー音を出力することも考えられる。
【００１９】
（ステップＳ２）
ステップＳ２において、ユーザーは、成型対象となるワイシャツを前記衣類成型装置１にセットする。ここに、図５は、ワイシャツが前記衣類成型性装置１にセットされた状態を示している。具体的に、ユーザーは、図５に示すように、前記成型部１０の前記曲面１１に前記ワイシャツの襟Ｗを沿わせた状態で前記襟Ｗの両端を前記左保持部２０Ｌ及び前記右保持部２０Ｒの前記保持板２４及び前記保持板２５で保持させる。
例えば、ユーザーは、まず前記襟Ｗの左側の端部を前記左保持部２０Ｌの前記保持板２５上に押さえつけた状態で前記フットスイッチ７３を操作する。これにより、前記制御部７０は、前記左保持部２０Ｌの前記エアシリンダ２１を駆動させて前記ピストンロッド２１Ａを前方に押し出し、前記左保持部２０Ｌの前記保持板２４及び前記保持板２５を閉じて前記襟Ｗの左側の端部を保持させる。続いて、ユーザーは、同様に前記襟Ｗの右側の端部を前記右保持部２０Ｒの前記保持板２５上に押さえつけた状態で前記フットスイッチ７５を操作する。これにより、前記制御部７０は、前記右保持部２０Ｒの前記エアシリンダ２１を駆動させて前記ピストンロッド２１Ａを前方に押し出し、前記右保持部２０Ｒの前記保持板２４及び前記保持板２５を閉じて前記襟Ｗの右側の端部を保持させる。ところで、前記衣類成型装置１では、前記成型部１０の前記曲面１１が水平方向（前方）に向けられているため、前記衣類掛け部８０にワイシャツを掛けた状態で前記襟Ｗを前記曲面１１に接触させた場合に、前記曲面１１が鉛直上方向に向けられている場合に比べてワイシャツ本体にシワが生じにくい。
なお、前記衣類成型装置１の他の例として、前記エアシリンダ２１を省略し、ユーザーが手動で前記左保持部２０Ｌ及び前記右保持部２０Ｒ各々の前記リンク機構２２を作動させることにより前記襟Ｗの両端を前記左保持部２０Ｌ及び前記右保持部２０Ｒで保持させることが可能な構成も他の実施形態として考えられる。
【００２０】
（ステップＳ３）
次に、ステップＳ３において、ユーザーは、前記衣類成型性装置１による成型動作を開始するために前記フットスイッチ７７を操作する。これにより、前記制御部７０は、次のステップＳ４〜Ｓ７における成型動作を開始する。ここに、前記ステップＳ４〜Ｓ７における成型動作を実行するときの前記制御部７０が駆動制御手段に相当する。
【００２１】
（ステップＳ４）
まず、ステップＳ４において、前記制御部７０は、前記襟Ｗを高温の水蒸気により加湿させる。具体的に、前記制御部７０は、前記ボイラー設備から前記接続口１６１への水蒸気の入力を制御する前記電磁弁を開くことにより、前記曲面１１の前記噴出口１２から前記襟Ｗに水蒸気を噴出させる。
【００２２】
（ステップＳ５）
次に、ステップＳ５において、前記制御部７０は、前記襟Ｗを伸張させる。具体的に、前記制御部７０は、前記伸張部３０の前記エアシリンダ３１を駆動して前記ピストンロッド３１Ａを収納させ、前記左保持部２０Ｌ及び前記右保持部２０Ｒを後方に引っ張ることにより前記襟Ｗを伸張させる。なお、前記ステップＳ５は、前記ステップＳ４と同時に実行される。即ち、前記衣類成型装置１は、前記左保持部２０Ｌ及び前記右保持部２０Ｒで保持された前記襟Ｗに水蒸気を噴き付けながら前記左保持部２０Ｌ及び前記右保持部２０Ｒを移動させて前記襟Ｗを伸張させる。ここに、図６は、前記襟Ｗの両端が前記伸張部３０によって伸張されている状態を示している。
前記ステップＳ５により、図６に示すように、前記左保持部２０Ｌ及び前記右保持部２０Ｒで保持されている前記襟Ｗは、前記成型部１０の前記曲面１１に密着し、前記曲面１１に沿って伸張されると共に前記成型部１０の前記曲面１１によって加熱される。従って、洗濯などにより前記襟Ｗが縮んでいる場合でも、前記ステップＳ４〜Ｓ５によって加湿されながら伸張されることにより前記襟Ｗが元の形状に復元される。なお、前記ステップＳ４及び前記ステップＳ５は同時に行われることが望ましいが、前記ステップＳ４による加湿後に前記ステップＳ５による伸張が行われることも他の実施形態として考えられる。
【００２３】
（ステップＳ６）
そして、ステップＳ６において、前記制御部７０は、前記襟Ｗが前記伸張部３０により伸張されている状態で前記襟Ｗを揺動させる。このとき、前記制御部７０により前記ステップＳ４で開始された前記襟Ｗへの水蒸気の噴き付けは継続していてもよく、前記襟Ｗの揺動の前や揺動の途中で停止されてもよい。なお、前記制御部７０は、次のステップＳ７の開始までには前記襟Ｗへの水蒸気の噴き付けを停止させる。
具体的に、前記制御部７０は、前記ピストンロッド３１Ａが収納された状態を維持させつつ、前記揺動部４０の前記エアシリンダ４１及び前記エアシリンダ４２を駆動させて前記ピストンロッド４１Ａ及び前記ピストンロッド４２Ａを移動させることにより前記襟Ｗを揺動させる。なお、前記襟Ｗの揺動範囲は、前記エアシリンダ４１及び前記エアシリンダ４２における前記ピストンロッド４１Ａ及び前記ピストンロッド４２Ａのストローク幅によって予め定められた所定の範囲（例えば５〜１０ｃｍ程度）である。
例えば、前記制御部７０は、前記エアシリンダ４１及び前記エアシリンダ４２を以下のように駆動制御することにより前記襟Ｗを前記曲面１１に対して摺動させる。
まず、前記制御部７０は、前記エアシリンダ４２を駆動させて前記ピストンロッド４２Ａを押し出させる。これにより、図７に示すように、前記揺動板３３の前記左端部３３Ｌが前方に押し出されることになり、前記左保持部２０Ｌの前記スライド板２６が前方に押し出されると共に前記右保持部２０Ｒの前記スライド板２６が後方に引き戻される。これにより、前記左保持部２０Ｌ及び前記右保持部２０Ｒで保持された前記襟Ｗは前記曲面１１上を矢印Ｒ１方向に摺動することになる。
次に、前記制御部７０は、前記エアシリンダ４１を駆動させて前記ピストンロッド４１Ａを収納させると共に、前記エアシリンダ４２を駆動させて前記ピストンロッド４２Ａを収納させる。これにより、図５に示すように前記揺動板３３が左右方向に対して平行となる状態を経由して、図８に示すように前記揺動板３３の前記左端部３３Ｌが後方に引き戻される状態に遷移する。従って、前記左保持部２０Ｌの前記スライド板２６が後方に引き戻されると共に前記右保持部２０Ｒの前記スライド板２６が前方に押し出され、前記左保持部２０Ｌ及び前記右保持部２０Ｒで保持された前記襟Ｗは前記曲面１１上を矢印Ｒ２方向に摺動することになる。
その後、前記制御部７０は、前記エアシリンダ４１を駆動させて前記ピストンロッド４１Ａを押し出させると共に、前記エアシリンダ４２を駆動させて前記ピストンロッド４２Ａを押し出させる。これにより、図５に示すように前記揺動板３３が左右方向に対して平行となる状態を経由して、図７に示すように前記揺動板３３の前記左端部３３Ｌが前方に押し出される状態に遷移する。従って、前記左保持部２０Ｌの前記スライド板２６が前方に押し出されると共に前記右保持部２０Ｒの前記スライド板２６が後方に引き戻され、前記左保持部２０Ｌ及び前記右保持部２０Ｒで保持された前記襟Ｗは前記曲面１１上を前記矢印Ｒ１方向に摺動することになる。
その後、前記制御部７０は、前記エアシリンダ４１及び前記エアシリンダ４２の前記駆動制御を予め設定された揺動回数だけ繰り返し実行して前記襟Ｗを前記揺動回数だけ揺動させた後、前記連結板３３が左右方向に対して平行な前記初期状態で前記駆動制御を終了する。なお、前記揺動回数に代えて予め設定された揺動時間だけ前記襟Ｗの揺動が実行されてもよい。
【００２４】
（ステップＳ７）
最後に、前記制御部７０は、前記連結板３３が左右方向に平行な前記初期状態（図５参照）で予め設定された時間だけ前記襟Ｗを前記成型部１０の前記曲面１１で加熱させる。これにより、前記襟Ｗの内側の形状が前記成型部１０の前記曲面１１の形状に沿って成型される。その後、ユーザーは，前記フットスイッチ７４、７６を操作することにより、前記保持部２０から前記襟Ｗを取り外す。
【００２５】
以上説明したように、前記衣類成型装置１では、前記襟Ｗが高温の前記成型部１０の前記曲面１１に押し当てられた状態で揺動するため、前記襟Ｗの内側にアイロン掛けと同様の効果が与えられる。従って、前記衣類成型装置１では、前記襟Ｗの内側のシワを伸ばして仕上げることができ、前記襟Ｗを綺麗に成型することができる。そして、従来技術のように上鏝と下鏝でプレスする必要がなく上鏝を省略することができるため、前記衣類成型装置１の小型化及び低コスト化を実現することができる。
【００２６】
なお、本実施の形態では、前記保持部２０、前記伸張部３０、及び前記揺動部４０の駆動手段として前記エアシリンダ２１、３１、４１、４２を用いた場合を例に挙げて説明したが、駆動手段はエアシリンダに限らない。例えば、ソレノイドやモーターなどの駆動手段を用いて前記保持部２０、前記伸張部３０、及び前記揺動部４０各々と同様の機能を具現する構成も他の実施形態として考えられる。
また、前記衣類成型装置１において前記支持部５０が水平方向に平行である構成、即ち前記成型部１０の前記曲面１１が水平方向（前方）に向けられた横型の構成を例に挙げて説明したがこれに限らない。例えば、前記支持部５０が鉛直方向に平行、即ち前記成型部１０の前記曲面１１が鉛直上方向に向けられた縦型の構成であって、前記支持部６０の上方に前記支持部５０が連結された構成が考えられる。この場合、前記支持部５０及び前記支持部６０が一つの支持部として構成されることがさらに望ましい。その他、前記支持部５０が鉛直方向に対して所定角度だけ傾斜し、前記成型部１０の前記曲面１１が前方上斜め方向に向けられた構成なども考えられる。
また、本実施の形態では、前記揺動部４０によってワイシャツの襟を揺動させる場合を例に挙げて説明したが、前記衣類成型装置１は、ワイシャツの襟が前記伸張部３０により伸張されている状態でそのワイシャツの襟及び前記成型部１０のいずれか一方又は両方を揺動させる揺動部を備える構成であればよい。即ち、前記揺動部は、ワイシャツの襟と前記成型部１０とを相対的に揺動させることによりワイシャツの襟を前記成型部１０の前記曲面１１上で摺動させることが可能なものであればよい。例えば、前記成型部１０を揺動可能に支持する可動支持部と前記可動支持部で支持された前記成型部１０を揺動させるエアシリンダ、ソレノイド又はモーターなどの駆動手段とを備える構成が考えられる。これにより、前記制御部７０は、前記ステップＳ６において、前記成型部１０を前記駆動手段によって揺動させることによりワイシャツの襟を前記成型部１０の前記曲面１１上で摺動させることができ、アイロン掛けの効果を与えることができる。さらに、前記衣類成型装置１におけるワイシャツの襟の揺動方向は左右方向（前記矢印Ｒ１、Ｒ２方向）に限らず、例えば左右方向（前記矢印Ｒ１、Ｒ２方向）及び上下方向のいずれか一方又は両方に揺動可能な構成も他の実施形態として考えられる。
【符号の説明】
【００２７】
１  ：衣類成型装置
１０：成型部
１１：曲面
１２：噴出口
２０：保持部
２０Ｌ：左保持部
２０Ｒ：右保持部
２１：エアシリンダ
２１Ａ：ピストンロッド
２２：リンク機構
２３：回動支持部
２４：保持板
２５：保持板
２６：スライド板
２７：レール
２８：レール支持板
３０：伸張部
３１：エアシリンダ
３１Ａ：ピストンロッド
３２：移動板
３３：揺動板
３４：連結部材
３５：ベアリング
４０：揺動部
４１：エアシリンダ
４１Ａ：ピストンロッド
４２：エアシリンダ
４２Ａ：ピストンロッド
４３：連結部
４４：スペーサー
５０：支持部
５１：固定部材
５２：固定部材
６０：支持部
６１：支柱
６２：土台
７０：制御部
７１：電源スイッチ
７２：加熱スイッチ
７３〜７７：フットスイッチ
７８：温度表示部
【図１】
2014104162.tif 000003
【図２】
2014104162.tif 000004
【図３】
2014104162.tif 000005
【図４】
2014104162.tif 000006
【図５】
2014104162.tif 000007
【図６】
2014104162.tif 000008
【図７】
2014104162.tif 000009
【図８】
2014104162.tif 000010